【手続補正書】
【提出日】平成18年8月10日(2006.8.10)
【手続補正１】
【補正対象書類名】明細書
【補正対象項目名】発明の名称
【補正方法】変更
【補正の内容】
【発明の名称】用紙積載装置及び画像形成装置
【手続補正２】
【補正対象書類名】明細書
【補正対象項目名】００１０
【補正方法】変更
【補正の内容】
【００１０】
上記目的を達成するために、請求項１記載の発明では、排紙トレイと、該排紙トレイをその移動距離全体に亘って直線状に上下移動可能に支持する支持部材と、該排紙トレイを上下方向に移動させる駆動源を有し、該排紙トレイが用紙を排出する排紙口を上下方向に通過移動する用紙積載装置において、上記排紙トレイが該排紙トレイに積載される用紙の後端を揃えるエンドフェンスを有し、該排紙トレイはその上下移動とは別にその姿勢を保ったままで用紙排出方向にスライド可能に設けられている、という構成を採っている。
【手続補正３】
【補正対象書類名】明細書
【補正対象項目名】００１１
【補正方法】変更
【補正の内容】
【００１１】
請求項２記載の発明では、１つの排紙口に対して用紙を受け取り可能に対応できる複数の排紙トレイと、これらの排紙トレイをその移動距離全体に亘って直線状に上下移動可能に支持する支持部材と、これらの排紙トレイを上下方向に移動させる駆動源を有し、少なくとも１つの排紙トレイは上記排紙口を上下方向に通過移動する用紙積載装置において、上記排紙口を上下方向に通過移動する排紙トレイ（以下、上部排紙トレイと称する。）が該上部排紙トレイに積載される用紙の後端を揃えるエンドフェンスを有し、該上部排紙トレイはその上下移動とは別にその姿勢を保ったままで用紙排出方向にスライド可能に設けられている、という構成を採っている。
【手続補正４】
【補正対象書類名】明細書
【補正対象項目名】００１２
【補正方法】変更
【補正の内容】
【００１２】
請求項３記載の発明では、請求項２記載の用紙積載装置において、上記複数の排紙トレイの上下方向の移動が各排紙トレイ毎に別々の駆動源によりなされ、上記支持部材が各排紙トレイの上下移動を支持する一対のレールを有している、という構成を採っている。
【手続補正５】
【補正対象書類名】明細書
【補正対象項目名】００１３
【補正方法】変更
【補正の内容】
【００１３】
請求項４記載の発明では、請求項２又は３記載の用紙積載装置において、上記排紙口の受取位置に上記上部排紙トレイを位置させるための検知手段と、該上部排紙トレイ以外の排紙トレイを該排紙口の受取位置に位置させるための検知手段を有し、これらの検知手段が共用される、という構成を採っている。
【手続補正６】
【補正対象書類名】明細書
【補正対象項目名】００１４
【補正方法】変更
【補正の内容】
【００１４】
請求項５記載の発明では、請求項１〜４のいずれかに記載の用紙積載装置において、上記支持部材に上下移動可能にベース部材が設けられ、該ベース部材に対して上記排紙トレイ又は上部排紙トレイが用紙排出方向にスライド可能に設けられている、という構成を採っている。
【手続補正７】
【補正対象書類名】明細書
【補正対象項目名】００１５
【補正方法】変更
【補正の内容】
【００１５】
請求項６記載の発明では、請求項１〜５のいずれかに記載の用紙積載装置において、上記排紙トレイ又は上部排紙トレイを用紙排出方向にスライドさせるカムを有し、該排紙トレイ又は上部排紙トレイは該カムへ押圧された状態でスライド及び上下移動するように設けられている、という構成を採っている。
【手続補正８】
【補正対象書類名】明細書
【補正対象項目名】００１６
【補正方法】変更
【補正の内容】
【００１６】
請求項７記載の発明では、請求項６記載の用紙積載装置において、上記排紙トレイ又は上部排紙トレイを上記カム側へ付勢する弾性部材を有し、上記排紙トレイ又は上部排紙トレイの上記カムへの押圧が、該弾性部材の付勢力によってなされる、という構成を採っている。
【手続補正９】
【補正対象書類名】明細書
【補正対象項目名】００１７
【補正方法】変更
【補正の内容】
【００１７】
請求項８記載の発明では、請求項６記載の用紙積載装置において、上記排紙トレイ又は上部排紙トレイが自重で用紙排出方向上流側へスライドするように設けられ、該排紙トレイ又は上部排紙トレイの上記カムへの押圧が、該排紙トレイ又は上部排紙トレイの自重によってなされる、という構成を採っている。
【手続補正１０】
【補正対象書類名】明細書
【補正対象項目名】００１８
【補正方法】変更
【補正の内容】
【００１８】
請求項９記載の発明では、請求項６記載の用紙積載装置において、上記排紙トレイ又は上部排紙トレイの上記カムへの押圧が、磁力によってなされる、という構成を採っている。
【手続補正１１】
【補正対象書類名】明細書
【補正対象項目名】００１９
【補正方法】変更
【補正の内容】
【００１９】
請求項１０記載の発明では、請求項１〜５のいずれかに記載の用紙積載装置において、上記排紙トレイ又は上部排紙トレイを用紙排出方向にスライドさせる駆動源を有し、該駆動源の制御によって該排紙トレイ又は上部排紙トレイの用紙排出方向へのスライドがなされる、という構成を採っている。
【手続補正１２】
【補正対象書類名】明細書
【補正対象項目名】００２０
【補正方法】変更
【補正の内容】
【００２０】
請求項１１記載の発明では、請求項１０記載の用紙積載装置において、上記排紙トレイ又は上部排紙トレイを用紙排出方向にスライドさせる駆動源が、該排紙トレイ又は上部排紙トレイを上下方向に移動させる駆動源とは独立した別個のものである、という構成を採っている。
【手続補正１３】
【補正対象書類名】明細書
【補正対象項目名】００２１
【補正方法】変更
【補正の内容】
【００２１】
請求項１２記載の発明では、請求項１０又は１１記載の用紙積載装置において、上記排紙トレイ又は上部排紙トレイが用紙排出方向と略直交する用紙幅方向にスライド可能に設けられ、該排紙トレイ又は上部排紙トレイを用紙幅方向にスライドさせる駆動源を有し、該駆動源の制御によって該排紙トレイ又は上部排紙トレイの用紙幅方向へのスライドがなされる、という構成を採っている。
【手続補正１４】
【補正対象書類名】明細書
【補正対象項目名】００２２
【補正方法】変更
【補正の内容】
【００２２】
請求項１３記載の発明では、請求項１２記載の用紙積載装置において、上記排紙トレイ又は上部排紙トレイを用紙排出方向にスライドさせる駆動源が上記排紙トレイ又は上部排紙トレイを用紙幅方向にスライドさせる駆動源を兼ねる、という構成を採っている。
【手続補正１５】
【補正対象書類名】明細書
【補正対象項目名】００２３
【補正方法】変更
【補正の内容】
【００２３】
請求項１４記載の発明では、請求項１２又は１３記載の用紙積載装置において、上記エンドフェンスが、用紙幅方向へのスライド時装置本体側に接触して回転するコロを有している、という構成を採っている。
【手続補正１６】
【補正対象書類名】明細書
【補正対象項目名】００２４
【補正方法】変更
【補正の内容】
【００２４】
請求項１５記載の発明では、請求項１０〜１４のいずれかに記載の用紙積載装置において、上記排紙トレイ又は上部排紙トレイが自重で用紙排出方向上流側へスライドするように設けられている、という構成を採っている。
【手続補正１７】
【補正対象書類名】明細書
【補正対象項目名】００２５
【補正方法】変更
【補正の内容】
【００２５】
請求項１６記載の発明では、請求項５〜１５のいずれかに記載の用紙積載装置において、上記ベース部材を検知して上記排紙トレイ又は上部排紙トレイを上記排紙口の受取位置に位置させるための検知手段を有している、という構成を採っている。
【手続補正１８】
【補正対象書類名】明細書
【補正対象項目名】００２６
【補正方法】変更
【補正の内容】
【００２６】
請求項１７記載の発明では、画像形成装置において、請求項１〜１６のいずれかに記載の用紙積載装置を有する、という構成を採っている。
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】削除
【補正の内容】
【手続補正２７】
【補正対象書類名】明細書
【補正対象項目名】００３５
【補正方法】削除
【補正の内容】
【手続補正２８】
【補正対象書類名】明細書
【補正対象項目名】００３６
【補正方法】削除
【補正の内容】
【手続補正２９】
【補正対象書類名】明細書
【補正対象項目名】００３７
【補正方法】削除
【補正の内容】
【手続補正３０】
【補正対象書類名】明細書
【補正対象項目名】００３８
【補正方法】削除
【補正の内容】
【手続補正３１】
【補正対象書類名】明細書
【補正対象項目名】００３９
【補正方法】削除
【補正の内容】
【手続補正３２】
【補正対象書類名】明細書
【補正対象項目名】００４０
【補正方法】削除
【補正の内容】
【手続補正３３】
【補正対象書類名】明細書
【補正対象項目名】００４１
【補正方法】削除
【補正の内容】
【手続補正３４】
【補正対象書類名】明細書
【補正対象項目名】００４２
【補正方法】削除
【補正の内容】
【手続補正３５】
【補正対象書類名】明細書
【補正対象項目名】００４３
【補正方法】削除
【補正の内容】
【手続補正３６】
【補正対象書類名】明細書
【補正対象項目名】００４４
【補正方法】削除
【補正の内容】
【手続補正３７】
【補正対象書類名】明細書
【補正対象項目名】００４５
【補正方法】削除
【補正の内容】
【手続補正３８】
【補正対象書類名】明細書
【補正対象項目名】００４６
【補正方法】削除
【補正の内容】
【手続補正３９】
【補正対象書類名】明細書
【補正対象項目名】００４７
【補正方法】削除
【補正の内容】
【手続補正４０】
【補正対象書類名】明細書
【補正対象項目名】００４８
【補正方法】削除
【補正の内容】
【手続補正４１】
【補正対象書類名】明細書
【補正対象項目名】００４９
【補正方法】削除
【補正の内容】
【手続補正４２】
【補正対象書類名】明細書
【補正対象項目名】００５０
【補正方法】変更
【補正の内容】
【００５０】
請求項１又は２記載の発明によれば、排紙口を通過移動時の用紙の積載乱れを防止できるとともに、用紙の丸まりによる積載乱れを防止できる。
また、排紙口における排紙ローラの突出構成による安定した排紙機能を維持しながら、簡易な構成で排紙トレイの通過移動時の排紙ローラとの干渉を回避できる。
また、姿勢を保ったままスライドさせる構成としたので、通過移動時の排紙トレイ上の用紙の積載状態の乱れを防止することができる。
【手続補正４３】
【補正対象書類名】明細書
【補正対象項目名】００５１
【補正方法】変更
【補正の内容】
【００５１】
請求項３記載の発明によれば、排紙口を通過移動時の用紙の積載乱れを防止できるとともに、用紙の丸まりによる積載乱れを防止できる。
また、各排紙トレイの上下移動が独立した駆動源によってなされるので、排紙していない排紙トレイが不必要に動作することがなく、ユーザーに不快感を与える心配がない。また、用紙積載量に応じて各排紙トレイが移動できるので、不必要な時間をかけることなく排紙トレイの切り換えができる。
さらに、排紙トレイの上下移動が一対のレールで支持される構成であるので、低コストで簡易な構成とすることができる。
【手続補正４４】
【補正対象書類名】明細書
【補正対象項目名】００５２
【補正方法】変更
【補正の内容】
【００５２】
請求項４記載の発明によれば、排紙口を通過移動時の用紙の積載乱れを防止できるとともに、用紙の丸まりによる積載乱れを防止できる。
また、排紙口の受取位置に位置させるための検知手段を共用する構成としたので、構成の簡易化、低コスト化を実現できる。
【手続補正４５】
【補正対象書類名】明細書
【補正対象項目名】００５３
【補正方法】変更
【補正の内容】
【００５３】
請求項５記載の発明によれば、排紙口を通過移動時の用紙の積載乱れを防止できるとともに、用紙の丸まりによる積載乱れを防止できる。
また、ベース部材を上下移動させ、ベース部材に対して排紙トレイのみをスライドさせる構成としたので、排紙ローラとの干渉を回避するためのスライド構成を簡易にできる。
【手続補正４６】
【補正対象書類名】明細書
【補正対象項目名】００５４
【補正方法】変更
【補正の内容】
【００５４】
請求項６記載の発明によれば、排紙口を通過移動時の用紙の積載乱れを防止できるとともに、用紙の丸まりによる積載乱れを防止できる。
また、上下移動の駆動源の駆動力を利用して制御を必要としない簡易な構成で排紙トレイの通過移動時の排紙ローラとの干渉を回避できるので、低コスト化を実現できる。
【手続補正４７】
【補正対象書類名】明細書
【補正対象項目名】００５５
【補正方法】変更
【補正の内容】
【００５５】
請求項７記載の発明によれば、排紙口を通過移動時の用紙の積載乱れを防止できるとともに、用紙の丸まりによる積載乱れを防止できる。
また、上下移動の駆動源の駆動力を利用して制御を必要としない簡易な構成で排紙トレイの通過移動時の排紙ローラとの干渉を回避できるので、低コスト化を実現できる。
【手続補正４８】
【補正対象書類名】明細書
【補正対象項目名】００５６
【補正方法】変更
【補正の内容】
【００５６】
請求項８記載の発明によれば、排紙口を通過移動時の用紙の積載乱れを防止できるとともに、用紙の丸まりによる積載乱れを防止できる。
また、排紙トレイが自重で用紙排出方向上流側へスライドするようにしたので、上下移動の駆動源の駆動力を利用して制御を必要としない簡易な構成をより一層簡易化でき、さらに低コスト化を実現できる。
【手続補正４９】
【補正対象書類名】明細書
【補正対象項目名】００５７
【補正方法】変更
【補正の内容】
【００５７】
請求項９記載の発明によれば、排紙口を通過移動時の用紙の積載乱れを防止できるとともに、用紙の丸まりによる積載乱れを防止できる。
また、上下移動の駆動源の駆動力を利用して制御を必要としない簡易な構成で排紙トレイの通過移動時の排紙ローラとの干渉を回避できるので、低コスト化を実現できる。
【手続補正５０】
【補正対象書類名】明細書
【補正対象項目名】００５８
【補正方法】変更
【補正の内容】
【００５８】
請求項１０記載の発明によれば、排紙口を通過移動時の用紙の積載乱れを防止できるとともに、用紙の丸まりによる積載乱れを防止できる。
また、カム等の使用による装置の高さが大きくなることを回避することができる。
【手続補正５１】
【補正対象書類名】明細書
【補正対象項目名】００５９
【補正方法】変更
【補正の内容】
【００５９】
請求項１１記載の発明によれば、排紙口を通過移動時の用紙の積載乱れを防止できるとともに、用紙の丸まりによる積載乱れを防止できる。
また、カム等の使用による装置の高さが大きくなることを回避することができるとともに、上下移動の駆動力でスライドさせる構成に比べて構成の簡易化を図ることができる。
【手続補正５２】
【補正対象書類名】明細書
【補正対象項目名】００６０
【補正方法】変更
【補正の内容】
【００６０】
請求項１２記載の発明によれば、排紙口を通過移動時の用紙の積載乱れを防止できるとともに、用紙の丸まりによる積載乱れを防止できる。
また、カム等の使用による装置の高さが大きくなることを回避することができるとともに、１つの排紙トレイで用紙を仕分けできる。
【手続補正５３】
【補正対象書類名】明細書
【補正対象項目名】００６１
【補正方法】変更
【補正の内容】
【００６１】
請求項１３記載の発明によれば、排紙口を通過移動時の用紙の積載乱れを防止できるとともに、用紙の丸まりによる積載乱れを防止できる。
また、排紙トレイのスライド動作、シフト動作を行える構成において、独立した駆動源を要しないので、低コストで簡単な構成で排紙トレイの用紙排出方向のスライド動作及び用紙のシフト動作が可能となる。
【手続補正５４】
【補正対象書類名】明細書
【補正対象項目名】００６２
【補正方法】変更
【補正の内容】
【００６２】
請求項１４記載の発明によれば、排紙トレイの円滑な仕分け動作を得ることができる。
【手続補正５５】
【補正対象書類名】明細書
【補正対象項目名】００６３
【補正方法】変更
【補正の内容】
【００６３】
請求項１５記載の発明によれば、排紙トレイが排紙口の受取位置に位置しているときやスライド動作時のガタツキや振れを防止できる。
【手続補正５６】
【補正対象書類名】明細書
【補正対象項目名】００６４
【補正方法】変更
【補正の内容】
【００６４】
請求項１６記載の発明によれば、排紙トレイのスライド動作を駆動源で行う構成において、排紙トレイを排紙口の受取位置に位置付けるための検知がタイムラグを来すことなく確実にできる。
【手続補正５７】
【補正対象書類名】明細書
【補正対象項目名】００６５
【補正方法】削除
【補正の内容】
【手続補正５８】
【補正対象書類名】明細書
【補正対象項目名】００６６
【補正方法】削除
【補正の内容】
【手続補正５９】
【補正対象書類名】明細書
【補正対象項目名】００６７
【補正方法】削除
【補正の内容】
【手続補正６０】
【補正対象書類名】明細書
【補正対象項目名】００６８
【補正方法】削除
【補正の内容】
【手続補正６１】
【補正対象書類名】明細書
【補正対象項目名】００６９
【補正方法】削除
【補正の内容】
【手続補正６２】
【補正対象書類名】明細書
【補正対象項目名】００７０
【補正方法】削除
【補正の内容】
【手続補正６３】
【補正対象書類名】明細書
【補正対象項目名】００７１
【補正方法】削除
【補正の内容】
【手続補正６４】
【補正対象書類名】明細書
【補正対象項目名】００７２
【補正方法】削除
【補正の内容】